(57)【要約】【課題】一般の容器の満容積は各々にあり、それ以上の収納を求める場合は、各々容器容積と容器の数量を増すことである。が、伴って諸々の不具合が生じる。例えば、容器容積を大きくすると扱い難く、容器の数を増やすと保管場所に問題が生じて、容器の積み上げによる崩れ落ち等の事故もあり、また、容器数が増しているために、それらの中から目的の容器を見つけ難い、という課題がある。【解決手段】複数個の容器を、輪型ベルトに連続付着設置する。中心軸を兼用する輪型ベルトの回転作業に伴って各容器が回転するために、目的の容器を見つけ易くなる。輪型ベルトに各容器が付着設しているため保管の安定化が向上し、多目的容器全体容積は、上述の従来品のそれよりも増大化すると言う手段を講じた。【選択図】図１
2018154403.tif 000002
【特許請求の範囲】
【請求項１】
一個又は複数個の容器等を輪型ベルトに付着設して構成したことを特徴とする多目的容器。
【請求項２】
輪型ベルトの回転に付いて連接した各容器が回転することを特徴とする請求項１に記載の多目的容器。
【発明の詳細な説明】
【技術分野】
【０００１】  本発明は、プラスチック製品等の部品・食品・液体（密栓可）等の、整理・分類・保存・等々をするための容器等について、容器の利便性や使用形態多様化への向上を図るための工夫をした多目的容器に関する。
【背景技術】
【０００２】  従来、容器容量は各容器容積にいっぱいの収納量が満量である。容器容量より以上に収納容量を求める場合は、容器をそれよりも大きい容積に交換する・容器を増加する等の方法がある。
【先行技術文献】
【特許文献】
【０００３】  見当たらない。
【非特許文献】
【０００４】  固体の部品収納容器・液体を保存する容器・食品保存容器等々の種々数々の容器が既存する。【０００５】  例えば、携帯工具箱のように、蓋を開くと中の仕切りが蓋に引かれて容器内が一見できるという容器等が既存する。
【発明の概要】
【発明が解決しようとする課題】
【０００６】  従来、容器の収納力は容器の満杯までで、いわゆる収納力には限りがあり、それ以上の収納を求める場合は、各容器の容量を増す・容器の個数を増すことである。が、その対処をするためには諸々の不具合も同時に生じるという課題がある。【０００７】  容器の保管においては、適度な保管場所が必要である。容器が増加するならば、それに応じた保管場所も必要になる。が、その事態に不具合が生じることがある。例えば、もともと保管場所は限られているために、増加した収納物と収納容器は、保管場所に収めるために積み重ねる等の対策を講じる、が、無理をせざるを得ないために、容器が崩れ落ちる等の事故等が生じる。その対策が必要になるという課題がある。
【課題を解決するための手段】
【０００８】  本発明は、ベルト状のものを輪の状態にしたもの（以下、輪型ベルトと言う）に、一個又は複数個の容器（以下、各容器と言う）を連続的に付着設するという手段を講じた。【０００９】  該多目的容器を製作するには、材質・材料を選ばないという手段を講じた。【００１０】  輪型ベルトが回転軸の働きをして回転作業をする、と、それに伴って輪型ベルトに付着設置した各容器が、自在に回転送り・回転戻りをする。輪型ベルトに付着設した各容器の中から目指す容器が、瞬時に回転出現するという手段を講じた。
【発明の効果】
【００１１】  該多目的容器の容量については、輪型ベルトに数個の各容器を付着接していて、それらは容器一個分よりも数個分の容器容量があるために全体容積は増大するという効果を発揮する。また、輪型ベルトを大きくすれば全体容器容量は大きくなる。輪型ベルトに付着設している各容器の容積・サイズはそのままにして付着設数を増やす方策か、各容器の数はそのままにして各容器容積を大きくする方策などで、全体容積を増すという効果を発揮する。【００１２】  該多目的容器の保管形態は安定している。複数個の各容器を輪型ベルトに付着設しているために、各容器がバラバラにならずに該容器全体の安定保管ができるという効果を発揮する。【００１３】  該多目的容器は、輪型ベルトの回転作業に伴って各容器が自在に回転送り・戻りをすることにより、目指す目的の容器を一目で見つけ出せることができ、目指す収納物もすぐに見つけ出せるという効果を発揮する。【００１４】  該多目的容器自体で、従来容器の一個分の容量よりも従来の容器数個分の容量に匹敵する。そのため、収納スペースと仕切り枠内に余裕があるから収納・分類・整理等の作業をしやすいという効果を発揮する。
【図面の簡単な説明】
【００１５】
【図１】斜視図
【図２】斜視図
【発明を実施するための形態】
【００１６】  以下、本発明を実施するための形態について詳説する。
輪型ベルト（１）である。輪型ベルトに各容器（２）を付着設する。という形態からなる。
【実施例】
【００１７】  本発明の一実施例を下記に詳説する。【００１８】  上述の図面表記（図１・図２）の各容器の数は一例である。【００１９】  該多目的容器は透明化が可能である。各容器が複数個あっても目指す内容物を収納している容器を見つけ易いから利便性に富む。【００２０】  該多目的容器は、彩色・印刷等が可能である。自分の名前を記入する・模様を描く・企業のマークを印刷する等が可能である。【００２１】  該多目的容器は、模様・シール等の添付が可能である。【００２２】  該多目的容器には、傷等を付けて模様や名前を記入することができる。【００２３】  安価を期待できる。例えば、該多目的容器一個がひとつのものであり、従来容器単体の数個分に相当している。該容器は必ず数個分をまとめた量だから製作・販売ともに、まとめるという一点で安価を目指せる。【００２４】  該多目的容器は、移動・運搬をしやすくするために持ち手を採用する。例えば、該多目的容器の両端に紐等を設ける・紐と紐に持ち手等を掛ける・輪型ベルトの中心分に紐等を通し各容器の一端に固定設する等・処処方法がある。【００２５】  本発明の多目的容器の使用目的・使用形態が、固体・液体（密栓可）・等々の限りなく多品目・多方面への活用が可能である。【００２６】  該輪型ベルトの、内面・外面に一個又は複数個の容器等の付着設が可能であり、その中心部分に回転軸（図示せず）を設けることも可能である。【００２７】  該多目的容器は、各容器内を自由自在に仕切ることが可能である。【００２８】  輪型ベルトは、輪の状態から水平状態への脱着が可能であり、水平状態で使用することができ、輪型ベルトはどの箇所でも脱着が可能である。【００２９】  異種多様のパーツの整理収納・保管等、食品保存容器（密封可）・液体容器（密栓可）等々の分類・収納・保管等のために有効利用ができ、生活に多々貢献する多目的容器である【００３０】  該多目的容器にカバー（以下、カバーと言う）を設ける（図示せず）。一般に容器の開閉は手動で行う。が、収納口・蓋等の閉鎖をするために働くカバーがあれば閉じる手間が省ける。該輪型ベルトの回転作業に伴って各容器が、カバーを通過することにより自動で、収納口・蓋を閉じることができる。カバーは、輪型ベルトに付着設置が可能。また脱着が可能。カバーの大きさ・容積・面積等は自由自在である。
【産業上の利用可能性】
【００３１】  該多目的容器は、作業現場での工具箱・部品容器として利用できる。狭い現場や足場の不安定な現場や地下に降りて長い通路を移動する現場等には、持ち込める部品や工具の制限があるために該多目的容器を使用することにより利便性が高くて作業能率が上がる。このように多方面に有効利用が期待できる。【００３２】  該多目的容器は、収納する内容物に付加価値を付けることができる。例えば、高価な贈答用の洋菓子や和菓子・バレンタイン商戦時のチョコレート等々のパッケージ等に有効活用ができる。
【符号の説明】
【００３３】  １．輪型ベルト
２．各容器
【図１】
2018154403.tif 000003
【図２】
2018154403.tif 000004